(57)【特許請求の範囲】
【請求項１】
店舗現金を収納する店舗現金収納部と、
銀行現金を収納する銀行現金収納部と、
貨幣を判別および計数する判別・計数部と、
現金を入出金する入出金口と、
現金の操作を店舗ユーザに指示させる操作部と、
前記入出金口と前記店舗現金収納部と前記銀行現金収納部との間で現金を搬送する搬送機構と、
現金自動預払機との通信を制御する現金自動預払機通信部と、
前記店舗ユーザによる前記操作部での入出金指示に従って、前記判別・計数部で判別および計数、および前記搬送機構を制御して前記入出金口と前記店舗現金収納部との間で現金の入出金の動作を行わせる入出金制御部と、
前記店舗ユーザによる前記操作部での売上金銀行入金指示に従って、前記判別・計数部で判別および計数、および前記搬送機構を制御して前記店舗現金収納部内の現金を前記銀行現金収納部に移動させると共に、前記現金自動預払機通信部を介して前記現金自動預払機と通信することにより前記移動した現金額の銀行への入金処理を実行する現金移動制御部と、
を備え、
前記現金移動制御部はさらに、前記店舗ユーザによる前記操作部での売上金カセット取出し指示に従って、前記現金自動預払機通信部および前記現金自動預払機を介しての前記移動した現金額の銀行への入金処理は実行せずに、前記判別・計数部で判別および計数、および前記搬送機構を制御して前記店舗現金収納部内の現金を前記銀行現金収納部に移動させる、ことを特徴とする現金取扱装置。
【請求項２】
前記現金移動制御部は、前記店舗ユーザによる前記操作部での売上金カセット取出し指示に従って、前記店舗現金収納部内の現金を前記銀行現金収納部に移動させるごとに、当該移動の現金額を前記銀行現金収納部の在高に累算する、ことを特徴とする請求項１に記載の現金取扱装置。
【請求項３】
前記入出金制御部または前記現金移動制御部によって前記店舗現金収納部における現金の在高が更新された場合に、前記入出金の動作または前記売上金銀行入金指示または前記売上金カセット取出し指示に対応する動作に関する取引情報を、ネットワークを介して現金管理を行うクラウドサービス装置に送信するクラウド通信部を、更に備えることを特徴とする請求項１又は２に記載の現金取扱装置。
【請求項４】
前記売上金銀行入金指示または前記売上金カセット取出し指示を前記クラウドサービス装置より実行する、ことを特徴とする請求項３に記載の現金取扱装置。
【請求項５】
前記入出金の動作は、売上金の入金の動作、釣銭の出金の動作、および両替の動作を含む、ことを特徴とする請求項１ないし４のいずれかに記載の現金取扱装置。
【請求項６】
前記店舗ユーザによる前記操作部での前記売上金銀行入金指示または前記売上金カセット取出し指示の後に、銀行カードを認証し、当該認証に成功した場合に前記現金移動制御部を動作させる認証部を更に備える、ことを特徴とする請求項１ないし５のいずれかに記載の現金取扱装置。
【請求項７】
店舗現金を収納する店舗現金収納部と、
銀行現金を収納する銀行現金収納部と、
貨幣を判別および計数する判別・計数部と、
現金を入出金する入出金口と、
現金の操作を店舗ユーザに指示させる操作部と、
前記入出金口と前記店舗現金収納部と前記銀行現金収納部との間で現金を搬送する搬送機構と、
現金自動預払機との通信を制御する現金自動預払機通信部と、
前記店舗ユーザによる前記操作部での入出金指示に従って、前記判別・計数部で判別および計数、および前記搬送機構を制御して前記入出金口と前記店舗現金収納部との間で現金の入出金の動作を行わせる入出金制御部と、
前記店舗ユーザによる前記操作部での売上金銀行入金指示に従って、前記判別・計数部で判別および計数、および前記搬送機構を制御して前記店舗現金収納部内の現金を前記銀行現金収納部に移動させると共に、前記現金自動預払機通信部を介して前記現金自動預払機と通信することにより前記移動した現金額の銀行への入金処理を実行する現金移動制御部と、
を備え、
前記銀行現金収納部は、集配業者または銀行員が開錠または施錠することで脱着または装着が可能な現金カセットである、ことを特徴とする現金取扱装置。
【請求項８】
前記店舗現金収納部は、金種別に現金を収納する固定式の現金スタッカである、ことを特徴とする請求項１ないし７のいずれかに記載の現金取扱装置。
【請求項９】
店舗現金を収納する店舗現金収納部と、
銀行現金を収納する銀行現金収納部と、
貨幣を判別および計数する判別・計数部と、
現金を入出金する入出金口と、
現金の操作を店舗ユーザに指示させる操作部と、
前記入出金口と前記店舗現金収納部と前記銀行現金収納部との間で現金を搬送する搬送機構と、
現金自動預払機との通信を制御する現金自動預払機通信部と、
前記店舗ユーザによる前記操作部での入出金指示に従って、前記判別・計数部で判別および計数、および前記搬送機構を制御して前記入出金口と前記店舗現金収納部との間で現金の入出金の動作を行わせる入出金制御部と、
前記店舗ユーザによる前記操作部での売上金銀行入金指示に従って、前記判別・計数部で判別および計数、および前記搬送機構を制御して前記店舗現金収納部内の現金を前記銀行現金収納部に移動させると共に、前記現金自動預払機通信部を介して前記現金自動預払機と通信することにより前記移動した現金額の銀行への入金処理を実行する現金移動制御部と、
を備え、
前記現金移動制御部から現金移動開始電文を受信すると銀行ホスト装置に対して入金開始要求電文を送信し、当該銀行ホスト装置から入金開始を許可する応答電文を受信すると前記現金移動制御部に対して銀行入金の開始を許可する電文を送信し、前記現金移動制御部から現金移動完了電文を受信すると前記銀行ホスト装置に入金電文を送信し、前記銀行ホスト装置から入金完了電文を受信すると自装置内の現金情報を更新する、ことを特徴とする現金自動預払機。
【発明の詳細な説明】
【技術分野】
【０００１】
本発明は、店舗における売上金の入出金を行う現金取扱装置および現金自動預払機に関する。
【背景技術】
【０００２】
店舗の１日の売上金は通常、店舗の管理者により銀行の窓口に持参され、店舗口座に入金される。あるいは、集配業者が店舗内に設置した自動入出金機に投入されて、判別・計数が行われ、必要に応じて釣銭が出金されて補充され、１日の売上が確定される。売上が確定した現金は、自動入出金機内の現金収納カセットに収納され、集配業者の所有に移る。集配業者は、現金収納カセット内の売上金を回収し、銀行に運んで店舗の銀行口座に入金する。
【０００３】
しかし、銀行の窓口まで売上金を持参する場合、売上の確定が銀行の営業時間や混雑度合いに左右され、また売上金を持ち歩かねばならない危険がある。また、自動入出金機を介して集配業者を使う場合、集配業者に翌日分の釣銭を発注することで発生する現金輸送のコストが多く発生する。
【０００４】
このような課題に対して、以下のような従来技術が知られている。
まず、現金の預入・払出機能を有する現金自動取扱装置と、電子式キャッシュレジスタ端末とを連結し、釣銭の補充回収搬送の必要情報に応じて、現金を釣銭の支払い装置と現金自動預入払出装置の間で搬送させるようにした技術が知られている（例えば特許文献１に記載の技術）。
【０００５】
また、店舗売上金がＰＯＳ（販売時点管理）端末装置内の現金入出金部に保管され、閉店時等の締め処理により、現金入出金部内の現金が現金カセット部から取りだされて搬送され、収納計数部で計数され、ＰＯＳ端末装置内の現金収納部に収納された後、締めデータが集配金センタに送られて金融機関センタの店舗の口座に入金金額が振り込まれ、集配業者が現金収納部内の売上金を回収するようにした技術が知られている（例えば特許文献２に記載の技術）。
【０００６】
さらに、店舗内では、現金の入金および釣銭の出金を、ＰＯＳレジスタと釣銭機とで行い、釣銭機内の回収用カセットから取り出した紙幣を現金自動受払機にて受容し入金指示データを作成し、金融機関ホスト・コンピュータが、現金自動受払機からの入金指示データにより所定の口座への入金処理を行い、ＰＯＳサーバが金融機関ホスト・コンピュータと通信して店舗の売上金額の確定を行うようにした技術が知られている（例えば特許文献３に記載の技術）。
【先行技術文献】
【特許文献】
【０００７】
【特許文献１】特開平８−１９０６７３号公報
【特許文献２】特開２０００−２５９９４８号公報
【特許文献３】特開２００３−２６３６７９号公報
【発明の概要】
【発明が解決しようとする課題】
【０００８】
しかし、現金自動取扱装置と電子式キャッシュレジスタ端末の釣銭の支払い装置との間で現金を搬送させる技術では、スーパーマーケットのような中・大規模店舗の場合、現金自動取扱装置と店舗内の全てのキャッシュレジスタ端末の釣銭の支払い装置との間で現金を搬送させる機構を設置する工事が必要となり、現実的でない。
【０００９】
また、締め処理によりＰＯＳ端末装置内の現金入出金部から現金収納部に搬送された売上金を集配業者が回収するようにした技術は、設置されるＰＯＳ端末装置が少ない店舗向けであり、やはりＰＯＳ端末装置の設置数が多くなる中・大規模店舗には適さない。
【００１０】
さらに、ＰＯＳレジスタと連動した釣銭機内の回収用カセットから取り出した紙幣を現金自動受払機にて受容し口座への入金処理と売上金額の確定を行うようにした技術も、釣銭機ごとに売上金を現金自動受払機に移動させなければならず、釣銭機の設置数が多くなる中・大規模店舗には適さない。
【００１１】
そこで、本発明は、店舗の規模によらず、釣銭等の現金の管理が容易に行え、銀行口座への入金および売上金額の確定を迅速かつ安全に行えるようにすることを目的とする。
【課題を解決するための手段】
【００１２】
態様の一例では、店舗現金を収納する店舗現金収納部と、銀行現金を収納する銀行現金収納部と、貨幣を判別および計数する判別・計数部と、現金を入出金する入出金口と、現金の操作を店舗ユーザに指示させる操作部と、前記入出金口と前記店舗現金収納部と前記銀行現金収納部との間で現金を搬送する搬送機構と、現金自動預払機との通信を制御する現金自動預払機通信部と、前記店舗ユーザによる前記操作部での入出金指示に従って、前記判別・計数部で判別および計数、および前記搬送機構を制御して前記入出金口と前記店舗現金収納部との間で現金の入出金の動作を行わせる入出金制御部と、前記店舗ユーザによる前記操作部での売上金銀行入金指示に従って、前記判別・計数部で判別および計数、および前記搬送機構を制御して前記店舗現金収納部内の現金を前記銀行現金収納部に移動させると共に、前記現金自動預払機通信部を介して前記現金自動預払機と通信することにより前記移動した現金額の銀行への入金処理を実行する現金移動制御部と、を備える。そして、前記現金移動制御部はさらに、前記店舗ユーザによる前記操作部での売上金カセット取出し指示に従って、前記現金自動預払機通信部および前記現金自動預払機を介しての前記移動した現金額の銀行への入金処理は実行せずに、前記判別・計数部で判別および計数、および前記搬送機構を制御して前記店舗現金収納部内の現金を前記銀行現金収納部に移動させる。
【発明の効果】
【００１３】
本発明によれば、店舗の規模によらず、釣銭等の現金の管理が容易に行え、銀行口座への入金および売上金額の確定を迅速かつ安全に行うと共に、夜間金庫を利用する場合の盗難リスク等を回避することが可能になる。
【図面の簡単な説明】
【００１４】
【図１】現金取扱装置の実施形態の基本機能を示す構成図である。
【図２】実施形態の全体システム構成図である。
【図３】現金取扱装置の実施形態の制御系のブロック図である。
【図４】現金取扱装置の実施形態の搬送系のブロック図である。
【図５】実施形態の動作説明図（売上金入金処理の説明）である。
【図６】実施形態の動作説明図（売上金入金による現金収納処理の説明）である。
【図７】実施形態の動作説明図（釣銭出金処理の説明）である。
【図８】実施形態の動作説明図（売上金カセット移動処理の説明）である。
【図９】実施形態の動作説明図（カセット回収動作の説明）である。
【図１０】実施形態の表示画面例（その１）を示す図である。
【図１１】実施形態の表示画面例（その２）を示す図である。
【図１２】実施形態の表示画面例（その３）を示す図である。
【図１３】現金取扱装置の全体動作の処理例を示すフローチャートである。
【図１４】売上金入金処理の詳細例を示すフローチャート（その１）である。
【図１５】売上金入金処理の詳細例を示すフローチャート（その２）である。
【図１６】釣銭出金処理の処理例を示すフローチャートである。
【図１７】両替処理の詳細例を示すフローチャート（その１）である。
【図１８】両替処理の詳細例を示すフローチャート（その２）である。
【図１９】両替処理の詳細例を示すフローチャート（その３）である。
【図２０】売上金銀行入金処理（現金取扱装置側）の詳細例を示すフローチャートである。
【図２１】売上金銀行入金処理（ＡＴＭ側）の例を示すフローチャートである。
【図２２】売上金カセット取出し処理の例を示すフローチャートである。
【図２３】現金管理クラウドにおける入出金機データ取得処理の例を示すフローチャートである。
【図２４】現金管理クラウドにおける情報照会応答処理の例を示すフローチャートである。
【発明を実施するための形態】
【００１５】
以下、本発明を実施するための形態について図面を参照しながら詳細に説明する。
図１は、現金取扱装置１００の実施形態の基本機能を示す構成図である。
【００１６】
店舗現金収納部１０１は、店舗現金を収納する。  店舗現金収納部１０１は例えば、金種（例えば、五千円券、万円券、千円券等）別に現金を収納する複数（＃１〜＃Ｎ）の固定式の現金スタッカ１１１である。
【００１７】
銀行現金収納部１０２は、銀行現金を収納する。銀行現金収納部１０２は例えば、集配業者（警備会社を含む）または銀行員が開錠または施錠することで脱着または装着が可能な＃１および＃２（１台でも３台以上であってもよい。）の現金カセット１１２である。
【００１８】
判別・計数部１０３は、貨幣を判別および計数する。
入出金口１０４は、店舗ユーザが、現金を入出金する開口部である。
【００１９】
操作部１０５は、必要な情報を店舗ユーザに提示しながら、現金の操作を店舗ユーザに指示させる
搬送機構１０６は、入出金口１０４と店舗現金収納部１０１と銀行現金収納部１０２との間で現金を搬送する。
【００２０】
ＡＴＭ通信部１０７は、現金自動預払機（ＡＴＭ：Ａｕｔｏｍａｔｅｄ  Ｔｅｌｌｅｒ  Ｍａｃｈｉｎｅ。以下「ＡＴＭ」と記載する。）１２０との通信を制御する。
【００２１】
入出金制御部１０８は、店舗ユーザによる操作部１０５での入出金指示に従って、判別・計数部１０３で判別および計数を行わせながら搬送機構１０６を制御して入出金口１０４と店舗現金収納部１０１との間で現金の入出金の動作を行わせる。入出金の動作は例えば、売上金の入金の動作、釣銭の出金の動作、および両替の動作を含む。
【００２２】
現金移動制御部１０９は、店舗ユーザによる操作部１０５での売上金銀行入金指示に従って、判別・計数部１０３で判別および計数を行わせながら搬送機構１０６を制御して店舗現金収納部１０１内の現金を銀行現金収納部１０２に移動させる。また、現金移動制御部１０９は、ＡＴＭ通信部１０７を介してＡＴＭ１２０と通信することにより移動した現金額の銀行への入金処理を実行する。ＡＴＭ１２０は、銀行ホスト１４０と通信することにより、入金処理を制御する。
【００２３】
ここで、現金取扱装置１００は、クラウド通信部１１０をさらに備える。クラウド通信部１１０は、ネットワークを介して現金管理を行うクラウドサービス装置である現金管理クラウド１３０との通信を制御する。入出金制御部１０８または現金移動制御部１０９によって店舗現金収納部１０１における現金の在高が更新された場合に、入出金の動作または銀行入金処理の動作に関する取引情報が、クラウド通信部１１０を介して現金管理クラウド１３０に送信される。
【００２４】
図２は、図１の構成例を有する現金取扱装置１００を含む実施形態の全体システム構成図である。複数の現金取扱装置１００は、例えば店舗ごとに設置される。現金取扱装置１００は、やはり例えば店舗ごとに設置されるＡＴＭ１２０と連携しながら、店舗の売上金の入金処理、釣銭の出金処理、両替処理、売上金の銀行への入金処理等を実行する。各ＡＴＭ１２０は、銀行ホスト１４０と通信をしながら、売上金の銀行への入金処理を制御する。また、各ＡＴＭ１２０は、銀行ホスト１４０と通信をしながら、店舗に来店した顧客による銀行に対する一般的なＡＴＭ入出金操作を受け付け、現金の預け入れ、支払い、振込み等の各操作を制御する。また、現金取扱装置１００は、売上に関する情報を現金管理クラウド１３０に送信する。現金管理クラウド１３０は、各店舗ごとの現金取扱装置１００における売上に関する情報を管理する。店舗内等に設置された情報照会端末２０１は、店舗の売上げに関する情報を照会することができる。
【００２５】
図３および図４は、図１の現金取扱装置１００の基本機能を実現するためのブロック図であり、図３は制御系のブロック構成を示す。また、図４は搬送系のブロック構成を示し、図４（ａ）は紙幣の搬送系のブロック図、図４（ｂ）は硬貨の搬送系のブロック図を示す。図１、図３、および図４において、同じ番号が付された部分は、互いに同じ部分である。また、参照番号に付された記号「Ａ」は紙幣を処理する機能部分を示し、同じく記号「Ｂ」は硬貨を処理する機能部分を示す。
【００２６】
図３に示されるように、図１の店舗現金収納部１０１は例えば、店舗紙幣収納部１０１Ａと店舗硬貨収納部１０１Ｂとから構成される。さらに、図４に示されるように、店舗紙幣収納部１０１Ａは＃１〜＃４の紙幣スタッカ１１１Ａにより構成され、店舗硬貨収納部１０１Ｂは＃１〜＃６の硬貨スタッカ１１１Ｂにより構成される。紙幣スタッカ１１１Ａおよび硬貨スタッカ１１１Ｂは、図１の現金スタッカ１１１に対応する。＃１、＃２、および＃３の各紙幣スタッカ１１１Ａは例えば、五千円券、万円券、千円券を収納し、＃４の紙幣スタッカ１１１Ａは例えば計数用に使用される。＃１、＃２、＃３、＃４、＃５、および＃６の各硬貨スタッカ１１１Ｂは例えば、５００円、５０円、５円、１００円、１０円、および１円の各硬貨を収納する。
【００２７】
図３に示されるように、図１の銀行現金収納部１０２は例えば、銀行紙幣収納部１０２Ａと銀行硬貨収納部１０２Ｂとから構成される。さらに、図４に示されるように、銀行紙幣収納部１０２Ａは＃１および＃２の紙幣カセット１１２Ａにより構成され、銀行硬貨収納部１０２Ｂは硬貨カセット１１２Ｂにより構成される。紙幣カセット１１２Ａおよび硬貨カセット１１２Ｂは、図１の現金カセット１１２に対応する。
【００２８】
図３に示されるように、図１の判別・計数部１０３は、紙幣判別部１０３−１Ａ、硬貨判別部１０３−１Ｂ、紙幣計数部１０３−２Ａ、および硬貨計数部１０３−２Ｂにより構成される。
【００２９】
図３に示されるように、図１の入出金口１０４は、紙幣入出金口１０４Ａ、および硬貨入出金口１０４Ｂにより構成される。
【００３０】
図３において、制御部３０１は、図１の入出金制御部１０８および現金移動制御部１０９の各機能を、ソフトウェア処理によって実現する。制御部３０１は、例えばＣＰＵ（中央演算処理装置）、制御プログラムを記憶するＲＯＭ（リードオンリーメモリ）、プログラムの実行時に適宜使用されるＲＡＭ（ランダムアクセスメモリ）、および図３の紙幣リジェクト部３０４Ａおよび硬貨リジェクト部３０４Ｂ以外の各部とのインタフェース回路を備えたマイクロプロセッサである。
【００３１】
図３において、操作部１０５、ＡＴＭ通信部１０７、およびクラウド通信部１１０は、図１に示されるものと同じである。
【００３２】
また図３および図４に示されるように、現金取扱装置１００は、紙幣一時保留部３０２Ａと硬貨一時保留部３０２Ｂを備える。紙幣一時保留部３０２Ａは、売上金の入金処理時に、入金された紙幣を、紙幣判別部１０３−１Ａおよび紙幣計数部１０３−２Ａで判別・計数した後に、店舗ユーザに入金処理の確定または中止を選択させるために、一時保持する。硬貨一時保留部３０２Ｂは、同じく売上金の入金処理時に、入金された硬貨を、硬貨判別部１０３−１Ｂおよび硬貨計数部１０３−２Ｂで判別・計数した後に、店舗ユーザに入金処理の確定または中止を選択させるために、一時保持する。
【００３３】
さらに図３に示されるように、現金取扱装置１００は、紙幣リジェクト部３０４Ａおよび硬貨リジェクト部３０４Ｂを備える。紙幣リジェクト部３０４Ａおよび硬貨リジェクト部３０４Ｂはそれぞれ、＃１および＃２の２個ずつから構成される。＃１の紙幣リジェクト部３０４Ａは、＃１〜＃３のいずれの紙幣スタッカ１１１Ａへの紙幣の収納時に、オーバーフローとなった紙幣を収納する。＃２の紙幣リジェクト部３０４Ａは、紙幣判別部１０３−１Ａで判別不能となった紙幣を収納する。＃１の硬貨リジェクト部３０４Ｂは、＃１〜＃６のいずれの硬貨スタッカ１１１Ｂへの硬貨の収納時に、オーバーフローとなった硬貨を収納する。＃２の硬貨リジェクト部３０４Ｂは、硬貨判別部１０３−１Ｂで判別不能となった硬貨を収納する。
【００３４】
加えて図３において、現金取扱装置１００は、売上金の入出金処理用のＩＤカードと、売上金を銀行の口座に入金する処理用の銀行キャッシュカードをそれぞれ認証するための、例えばカードリーダ装置である認証部３０３を備える。
【００３５】
図４（ａ）の一点鎖線で囲まれた部分１０６Ａ＋１０３Ａは、図１の搬送機構１０６のうちの紙幣搬送機構１０６Ａと、図４（ａ）では省略してあるが、図３の紙幣判別部１０３−１Ａおよび紙幣計数部１０３−２Ａ（以下、「紙幣判別・計数部１０３Ａ」と記載する）を含んでいる。同様に、図４（ｂ）の一点鎖線で囲まれた部分１０６Ｂ＋１０３Ｂは、図１の搬送機構１０６のうちの硬貨搬送機構１０６Ｂと、図４（ｂ）では省略してあるが、図３の硬貨判別部１０３−１Ｂおよび硬貨計数部１０３−２Ｂ（以下、「硬貨判別・計数部１０３Ｂ」と記載する）を含んでいる。
【００３６】
以上の構成を有する実施形態の動作を、図５から図９の動作説明図、および図１０から図１２の操作部１０５の表示パネルの表示画面例を用いて、以下に説明する。図５（ａ）、図６（ａ）、図７（ａ）、図８（ａ）、および図９（ａ）の構成は図４（ａ）に対応し、図５（ｂ）、図６（ｂ）、図７（ｂ）、図８（ｂ）、および図９（ｂ）の構成は図４（ｂ）に対応する。
【００３７】
図５は、図１から図４の実施形態における売上金入金処理時の搬送系の動作説明図である。まず、制御部３０１（図３）は、店舗ユーザが操作を開始する初期状態では、操作部１０５の表示パネルに、図１０（ａ）に例示されるメニュー画面を表示している。店舗ユーザが、この表示パネル上で「売上金入金」ボタンにタッチすると、制御部３０１が入出金制御部１０８（図１）の機能の実行を開始し、操作部１０５の表示パネルに、図１０（ｂ）に例示されるカードスキャン誘導画面を表示させる。店舗ユーザが売上金入金用の店舗カードを認証部３０３（図３）のカードリーダに読み取らせると、制御部３０１が実行する入出金制御部１０８の機能は、その店舗カードの認証を行い、認証ＯＫならば、操作部１０５の表示パネルに、図１０（ｃ）に例示される入金誘導画面を表示させる。店舗ユーザが売上金の紙幣または硬貨を図５（ａ）の紙幣入出金口１０４Ａまたは図５（ｂ）の硬貨入出金口１０４Ｂから入金すると、制御部３０１が実行する入出金制御部１０８の機能が、図５（ａ）の紙幣搬送機構１０６Ａまたは図５（ｂ）の硬貨搬送機構１０６Ｂを制御するとともに、紙幣搬送機構１０６Ａ内に設置されている特には図示しない紙幣判別・計数部１０３Ａ（図３の紙幣判別部１０３−１Ａおよび紙幣計数部１０３−２Ａ）と、硬貨搬送機構１０６Ｂ内に設置されている特には図示しない硬貨判別・計数部１０３Ｂ（図３の硬貨判別部１０３−１Ｂおよび硬貨計数部１０３−２Ｂ）を動作させ、この結果、入金された紙幣は、図５（ａ）の太線実線矢印５０１Ａで示される経路上で判別および計数され、入力された硬貨は、図５（ｂ）の太線実線矢印５０１Ｂで示される経路上で判別および計数される。このとき、適宜、計数用の＃４の紙幣スタッカ１１１Ａが使用される。その後、制御部３０１が実行する入出金制御部１０８の機能は、図５（ａ）の紙幣搬送機構１０６Ａを制御して判別・計数が終了した紙幣を紙幣一時保留部３０２Ａに搬送し、図５（ｂ）の硬貨搬送機構１０６Ｂを制御して判別・計数が終了した硬貨を硬貨一時保留部３０２Ｂに搬送する。
【００３８】
制御部３０１が実行する入出金制御部１０８の機能は、操作部１０５の表示パネルに、紙幣または硬貨の計数動作実行中には図１０（ｄ）に例示される現金計数画面を表示させ、その実行が終了すると図１１（ａ）に例示される現金計数金額画面を表示させる。
【００３９】
入金時に受け入れることができない紙幣は、図５（ａ）の太線実線矢印５０２Ａで示されるように、紙幣入出金口１０４Ａから紙幣一時保留部３０２Ａに搬送されずにそのまま返却される。同様に、入金時に受け入れることができない硬貨は、図５（ｂ）の太線実線矢印５０２Ｂで示されるように、硬貨入出金口１０４Ｂから硬貨一時保留部３０２Ｂに搬送されずにそのまま返却される。
【００４０】
続いて、制御部３０１が実行する入出金制御部１０８の機能は、操作部１０５の表示パネルに、図１１（ｂ）に例示される現金計数金額確認画面を表示させる。
【００４１】
このとき、店舗ユーザが「中止」ボタンにタッチした場合、制御部３０１が実行する入出金制御部１０８の機能が、図５（ａ）の紙幣搬送機構１０６Ａを制御することにより、図５（ａ）の太線実線矢印５０３Ａで示されるように、紙幣一時保留部３０２Ａから紙幣入出金口１０４Ａに、入金された紙幣を返却させる。同様に、制御部３０１が実行する入出金制御部１０８の機能は、図５（ｂ）の硬貨搬送機構１０６Ｂを制御することにより、図５（ｂ）の太線実線矢印５０３Ｂで示されるように、硬貨一時保留部３０２Ｂから硬貨入出金口１０４Ｂに、入金された硬貨を返却させる。
【００４２】
図６は、図５の売上金入金処理に続いて実行される現金収納処理時の搬送系の動作説明図である。図１１（ｂ）に例示される現金計数金額確認画面において、店舗ユーザが「確定」ボタンにタッチすると、制御部３０１が実行する入出金制御部１０８の機能は、紙幣搬送機構１０６Ａを制御して、図６（ａ）の太線実線矢印６０１Ａで示されるように、紙幣一時保留部３０２Ａ内の各紙幣を＃１〜＃３のうち該当する紙幣スタッカ１１１Ａに搬送して収納させる。また、制御部３０１が実行する入出金制御部１０８の機能は、紙幣が搬送された紙幣スタッカ１１１Ａの在高を加算更新する。
【００４３】
制御部３０１が実行する入出金制御部１０８の機能は、オーバーフローが発生した紙幣スタッカ１１１Ａに関する紙幣については、紙幣搬送機構１０６Ａを制御して、図６（ａ）の太線破線矢印６０２Ａで示されるように、紙幣一時保留部３０２Ａからオーバーフロー用の＃１の紙幣リジェクト部３０４Ａに搬送して収納させる。
【００４４】
また制御部３０１が実行する入出金制御部１０８の機能は、判別に失敗した紙幣については、紙幣搬送機構１０６Ａを制御して、図６（ａ）の太線破線矢印６０３Ａで示されるように、＃２の紙幣リジェクト部３０４Ａに搬送して収納させる。
【００４５】
同様に、制御部３０１が実行する入出金制御部１０８の機能は、硬貨搬送機構１０６Ｂを制御して、図６（ｂ）の太線実線矢印６０１Ｂで示されるように、硬貨一時保留部３０２Ｂ内の各硬貨を＃１〜＃６のうち該当する硬貨スタッカ１１１Ｂに搬送して収納させる。また、制御部３０１が実行する入出金制御部１０８の機能は、硬貨が搬送された硬貨スタッカ１１１Ｂの在高を加算更新する。
【００４６】
制御部３０１が実行する入出金制御部１０８の機能は、オーバーフローが発生した硬貨スタッカ１１１Ｂに関する硬貨については、硬貨搬送機構１０６Ｂを制御して、図６（ｂ）の太線破線矢印６０２Ｂで示されるように、硬貨一時保留部３０２Ｂからオーバーフロー用の＃１の硬貨リジェクト部３０４Ｂに搬送して収納させる。
【００４７】
また制御部３０１が実行する入出金制御部１０８の機能は、判別に失敗した硬貨については、硬貨搬送機構１０６Ｂを制御して、図６（ｂ）の太線破線矢印６０３Ｂで示されるように、＃２の硬貨リジェクト部３０４Ｂに搬送して収納させる。
【００４８】
図７は、図１から図４の実施形態における釣銭出金処理時の搬送系の動作説明図である。店舗ユーザが操作部１０５の表示パネルに表示されている図１０（ａ）に例示されるメニュー画面上で「釣銭出金」ボタンにタッチすると、制御部３０１が入出金制御部１０８（図１）の機能の実行を開始し、操作部１０５の表示パネルに、図１０（ｂ）に例示されるカードスキャン誘導画面を表示させる。店舗ユーザが売上金入金用の店舗カードを認証部３０３（図３）のカードリーダに読み取らせると、制御部３０１が実行する入出金制御部１０８の機能は、その店舗カードの認証を行い、認証ＯＫならば、図１１（ｃ）に例示される出金金種・枚数指定画面を表示させる。店舗ユーザがこの表示画面上の所望の部分にタッチして釣銭として出金したい紙幣または硬貨の金種と金額を指定する。
【００４９】
この結果、制御部３０１が実行する入出金制御部１０８の機能は、紙幣搬送機構１０６Ａを制御することにより、図７（ａ）の太線実線矢印７０１Ａで示されるように、指定された紙幣の金種に対応する紙幣スタッカ１１１Ａから紙幣を取り出し、紙幣搬送機構１０６Ａ内に設置されている特には図示しない紙幣判別・計数部１０３Ａ（図３の紙幣判別部１０３−１Ａおよび紙幣計数部１０３−２Ａ）により紙幣の判別および計数を行わせながら、指定された金額分だけ紙幣入出金口１０４Ａに搬送してそこから出金させる。同様に、制御部３０１が実行する入出金制御部１０８の機能は、硬貨搬送機構１０６Ｂを制御することにより、図７（ｂ）の太線実線矢印７０１Ｂで示されるように、指定された硬貨の金種に対応する硬貨スタッカ１１１Ｂから硬貨を取り出し、硬貨搬送機構１０６Ｂ内に設置されている特には図示しない硬貨判別・計数部１０３Ｂ（図３の硬貨判別部１０３−１Ｂおよび硬貨計数部１０３−２Ｂ）により紙幣の判別および計数を行わせながら、指定された金額分だけ硬貨入出金口１０４Ｂに搬送してそこから出金させる。
【００５０】
このとき、制御部３０１が実行する入出金制御部１０８の機能は、操作部１０５の表示パネルに、図１１（ｄ）に例示される現金取出し誘導画面を表示させる。
【００５１】
制御部３０１が実行する入出金制御部１０８の機能は、判別に失敗した紙幣については、紙幣搬送機構１０６Ａを制御して、図７（ａ）の太線破線矢印７０２Ａで示されるように、その紙幣を＃２の紙幣リジェクト部３０４Ａに搬送して収納させる。同様に、制御部３０１が実行する入出金制御部１０８の機能は、判別に失敗した硬貨については、硬貨搬送機構１０６Ｂを制御して、図７（ｂ）の太線破線矢印７０２Ｂで示されるように、その硬貨を＃２の硬貨リジェクト部３０４Ｂに搬送して収納させる。
【００５２】
図８は、実施形態における売上金カセット移動処理時の搬送系の動作説明図である。売上金カセット移動処理は、紙幣スタッカ１１１Ａまたは硬貨スタッカ１１１Ｂ内の売上金を紙幣カセット１１２Ａまたは硬貨カセット１１２Ｂに移動する処理である。この処理にはさらに、２種類の処理がある。第１の処理は、店舗ユーザが操作部１０５の表示パネルに表示されている図１０（ａ）に例示されるメニュー画面上で「売上金銀行入金」ボタンにタッチした場合に実行される「売上金銀行入金処理」である。第２の処理は、店舗ユーザが操作部１０５の表示パネルに表示されている図１０（ａ）に例示されるメニュー画面上で「カセット取出し」ボタンにタッチした場合に実行される「売上金カセット取出し処理」である。売上金銀行入金処理および売上金カセット取出し処理ともに、店舗ユーザが指定した出金額（出金金種の指定を含む）が、紙幣スタッカ１１１Ａまたは硬貨スタッカ１１１Ｂ内から紙幣カセット１１２Ａまたは硬貨カセット１１２Ｂに移動されて、指定された出金額分の現金が店舗現金から銀行扱いの現金に移動させられる点は共通である。ここで、売上金銀行入金処理ではさらに、現金移動制御部１０９がＡＴＭ通信部１０７を介してＡＴＭ１２０と通信を行うことにより、ＡＴＭ１２０が銀行ホスト１４０（図１、図２）に対して、売上金銀行入金の処理の開始時に読み取った銀行カードによって指定された銀行口座への入金処理を実行する。これにより、紙幣カセット１１２Ａまたは硬貨カセット１１２Ｂに移動させられた現金は、即座に銀行側の現金となる。一方、売上金カセット取出し処理では、現金移動制御部１０９がＡＴＭ通信部１０７を介してＡＴＭ１２０と通信を行わず、単に店舗現金から所定の出金額が切り離されただけで、紙幣カセット１１２Ａまたは硬貨カセット１１２Ｂに移動させられた現金はまだ銀行側の現金とはなっていない。この場合には、後述するカセット回収動作において、例えば警備会社が銀行紙幣収納部１０２Ａおよび銀行硬貨収納部１０２Ｂ内の現金を回収した後、警備会社側で代行入金処理を実行することにより、当該現金が初めて銀行側の現金となる。このようにして、店舗ユーザは、店舗内にＡＴＭ１２０を設置して現金取扱装置１００をそのＡＴＭ１２０と連携させるか否かを選択することができる。そして、店舗ユーザは、店舗内にＡＴＭ１２０を設置した場合には、上記売上金銀行入金処理を実行することにより、ダイレクトに銀行への入金処理を実行でき、店舗内にＡＴＭ１２０を設置しない場合には、上記売上金カセット取出し処理を実行することにより、警備会社等によるカセット回収動作を介して銀行への入金処理を実行できる。
【００５３】
ここで、現金取扱装置１００がＡＴＭ１２０と連携しないときには、メニュー画面上で「売上金銀行入金」ボタンは表示せずに「カセット取出し」ボタンのみが表示されるように制御することが望ましい。
【００５４】
まず、売上金銀行入金処理について説明する。店舗ユーザが操作部１０５の表示パネルに表示されている図１０（ａ）に例示されるメニュー画面上で「売上金銀行入金」ボタンにタッチすると、制御部３０１が現金移動制御部１０９（図１）の機能の実行を開始し、操作部１０５の表示パネルに、図１０（ｂ）に例示されるカードスキャン誘導画面を表示させる。店舗ユーザが銀行入金用の銀行カードを認証部３０３（図３）のカードリーダに読み取らせると、制御部３０１が実行する現金移動制御部１０９の機能は、その銀行カードの認証を行い、認証ＯＫならば、図１１（ｃ）に例示される出金金種・枚数指定画面を表示させる。店舗ユーザがこの表示画面上の所望の部分にタッチして売上金から出金させて銀行入金させたい紙幣または硬貨の金種と金額を指定する。
【００５５】
制御部３０１が実行する現金移動制御部１０９の機能は、指定された金種および金額を判別することにより、制御部３０１が把握している紙幣スタッカ１１１Ａおよび硬貨スタッカ１１１Ｂ内の店舗現金在高の範囲内であるか否かを判別する。
【００５６】
制御部３０１が実行する現金移動制御部１０９の機能は、指定金額が店舗現金在高をオーバーしている場合には、操作部１０５の表示パネルに、図１２（ｃ）に例示される再入力誘導画面を表示させ、店舗ユーザに金種と金額を再入力させる。
【００５７】
制御部３０１が実行する現金移動制御部１０９の機能は、指定金額が店舗現金在高の範囲内であれば、ＡＴＭ通信部１０７（図１、図３）を介してＡＴＭ１２０に現金移動開始を通知し、売上金銀行入金の処理の開始時に読み取った銀行カードに対応する銀行口座への入金が可能か否かを銀行ホスト１４０に問い合わせる。
【００５８】
その結果、銀行ホスト１４０よりＡＴＭ１２０を介して許可が得られたら、制御部３０１が実行する現金移動制御部１０９の機能は、紙幣搬送機構１０６Ａを制御することにより、図８（ａ）の太線実線矢印８０１Ａで示されるように、指定された紙幣の金種に対応する紙幣スタッカ１１１Ａから紙幣を取り出し、紙幣搬送機構１０６Ａ内に設置されている特には図示しない紙幣判別・計数部１０３Ａ（図３の紙幣判別部１０３−１Ａおよび紙幣計数部１０３−２Ａ）により紙幣の判別および計数を行わせながら、指定された金額分だけ銀行紙幣収納部１０２Ａ内の＃１または＃２の紙幣カセット１１２Ａに搬送して収納させる。同様に、制御部３０１が実行する現金移動制御部１０９の機能は、硬貨搬送機構１０６Ｂを制御することにより、図８（ｂ）の太線実線矢印８０１Ｂで示されるように、指定された硬貨の金種に対応する硬貨スタッカ１１１Ｂから紙幣を取り出し、硬貨搬送機構１０６Ｂ内に設置されている特には図示しない硬貨判別・計数部１０３Ｂ（図３の硬貨判別部１０３−１Ｂおよび硬貨計数部１０３−２Ｂ）により硬貨の判別および計数を行わせながら、指定された金額分だけ銀行硬貨収納部１０２Ｂ内の＃１または＃２の硬貨カセット１１２Ｂに搬送して収納させる。その後、制御部３０１が実行する現金移動制御部１０９の機能は、ＡＴＭ通信部１０７を介してＡＴＭ１２０に、現金移動完了を通知する。ＡＴＭ１２０は、この通知を受信すると、銀行ホスト１４０（図１、図２）に対して、売上金銀行入金の処理の開始時に読み取った銀行カードによって指定された銀行口座への入金処理を実行する。
【００５９】
そして、制御部３０１が実行する現金移動制御部１０９の機能は、操作部１０５の表示パネルに、図１２（ａ）に例示される売上金銀行入金完了画面を表示させ、売上金銀行入金処理を正常終了させる。店舗ユーザがこの画面において「メニューに戻る」ボタンにタッチすると、制御部３０１が実行する現金移動制御部１０９の機能は、操作部１０５の表示パネルの表示を、図１０（ａ）に例示されるメニュー画面の表示に戻る。
【００６０】
銀行ホスト１４０よりＡＴＭ１２０を介して許可が得られなかったら、制御部３０１が実行する現金移動制御部１０９の機能は、操作部１０５の表示パネルに、図１２（ｄ）に例示される異常終了画面を表示させ、売上金銀行入金の処理を中止する。
【００６１】
次に、売上金カセット取出し処理について説明する。店舗ユーザが操作部１０５の表示パネルに表示されている図１０（ａ）に例示されるメニュー画面上で「カセット取出し」ボタンにタッチすると、制御部３０１が現金移動制御部１０９（図１）の機能の実行を開始し、操作部１０５の表示パネルに、図１０（ｂ）に例示されるカードスキャン誘導画面を表示させる。店舗ユーザが銀行入金用の銀行カードを認証部３０３（図３）のカードリーダに読み取らせると、制御部３０１が実行する現金移動制御部１０９の機能は、その銀行カードの認証を行い、認証ＯＫならば、図１１（ｃ）に例示される出金金種・枚数指定画面を表示させる。店舗ユーザがこの表示画面上の所望の部分にタッチして売上金から出金させて銀行入金させたい紙幣または硬貨の金種と金額を指定する。
【００６２】
制御部３０１が実行する現金移動制御部１０９の機能は、指定された金種および金額を判別することにより、制御部３０１が把握している紙幣スタッカ１１１Ａおよび硬貨スタッカ１１１Ｂ内の店舗現金在高の範囲内であるか否かを判別する。
【００６３】
制御部３０１が実行する現金移動制御部１０９の機能は、指定金額が店舗現金在高をオーバーしている場合には、操作部１０５の表示パネルに、図１２（ｃ）に例示される再入力誘導画面を表示させ、店舗ユーザに金種と金額を再入力させる。
【００６４】
制御部３０１が実行する現金移動制御部１０９の機能は、指定金額が店舗現金在高の範囲内であれば、紙幣搬送機構１０６Ａを制御することにより、図８（ａ）の太線実線矢印８０１Ａで示されるように、指定された紙幣の金種に対応する紙幣スタッカ１１１Ａから紙幣を取り出し、紙幣搬送機構１０６Ａ内に設置されている特には図示しない紙幣判別・計数部１０３Ａ（図３の紙幣判別部１０３−１Ａおよび紙幣計数部１０３−２Ａ）により紙幣の判別および計数を行わせながら、指定された金額分だけ銀行紙幣収納部１０２Ａ内の＃１または＃２の紙幣カセット１１２Ａに搬送して収納させる。同様に、制御部３０１が実行する現金移動制御部１０９の機能は、硬貨搬送機構１０６Ｂを制御することにより、図８（ｂ）の太線実線矢印８０１Ｂで示されるように、指定された硬貨の金種に対応する硬貨スタッカ１１１Ｂから紙幣を取り出し、硬貨搬送機構１０６Ｂ内に設置されている特には図示しない硬貨判別・計数部１０３Ｂ（図３の硬貨判別部１０３−１Ｂおよび硬貨計数部１０３−２Ｂ）により硬貨の判別および計数を行わせながら、指定された金額分だけ銀行硬貨収納部１０２Ｂ内の＃１または＃２の硬貨カセット１１２Ｂに搬送して収納させる。
【００６５】
その後、制御部３０１が実行する現金移動制御部１０９の機能は、操作部１０５の表示パネルに、図１２（ｂ）に例示される売上金カセット取出し完了画面を表示させ、売上金カセット取出し処理を正常終了させる。この場合、店舗ユーザは、紙幣スタッカ１１１Ａまたは硬貨スタッカ１１１Ｂ内から紙幣カセット１１２Ａまたは硬貨カセット１１２Ｂへの売上金の移動を複数回に分けて実行することができ、制御部３０１が実行する現金移動制御部１０９の機能は、今回の取出し額と、紙幣カセット１１２Ａまたは硬貨カセット１１２Ｂ内の累計額とを併記して、操作部１０５の表示パネルに表示させることができる。店舗ユーザがこの画面において「メニューに戻る」ボタンにタッチすると、制御部３０１が実行する現金移動制御部１０９の機能は、操作部１０５の表示パネルの表示を、図１０（ａ）に例示されるメニュー画面の表示に戻る。
【００６６】
図９は、実施形態におけるカセット回収動作の説明図である。集配業者または銀行員は、定期的にまたは店舗から連絡を受けて店舗を訪問し、現金取扱装置１００内の銀行現金収納部１０２（図９（ａ）の銀行紙幣収納部１０２Ａおよび図９（ｂ）の銀行硬貨収納部１０２Ｂ）を開錠することで、図９（ａ）または図９（ｂ）の太線実線矢印で示されるように、＃１または＃２の紙幣カセット１１２Ａまたは硬貨カセット１１２Ｂを回収し、その後、空の紙幣カセット１１２Ａおよび硬貨カセット１１２Ｂを装填して、銀行現金収納部１０２（図９（ａ）の銀行紙幣収納部１０２Ａおよび図９（ｂ）の銀行硬貨収納部１０２Ｂ）を施錠する。
【００６７】
店舗ユーザが、図８で前述した店舗内のＡＴＭ１２０と連携する売上金銀行入金処理を利用している場合には、上記回収された紙幣カセット１１２Ａまたは硬貨カセット１１２Ｂ内の現金は、集配業者または銀行員によってそのまま銀行に収納される。
【００６８】
一方、店舗ユーザが、店舗内にＡＴＭ１２０を設置せずに、図８で前述した売上金カセット取出し処理を利用している場合には、前述したように、上記回収された紙幣カセット１１２Ａまたは硬貨カセット１１２Ｂ内の現金については、例えば警備会社に運ばれた後に、そこで代行入金処理が行われて銀行入金処理が実行され、その後に警備会社によって銀行に収納される。
【００６９】
以上の動作を実現するための本実施形態のより具体的な処理例について、以下に説明する。
【００７０】
図１３は、現金取扱装置１００（図１、図２、図３）の全体動作の処理例を示すフローチャートである。この処理は、例えば図３の制御部３０１が、内部の特には図示しないＲＯＭ等に記憶された制御プログラムを実行する動作として実現される。
【００７１】
制御部３０１は起動後、ステップＳ１３０１と、ステップＳ１３０２からＳ１３０７までの各判定処理を、繰り返し実行する。
【００７２】
この繰返し処理において、制御部３０１はまず、操作部１０５（図１）の表示パネルに、図１０（ａ）に例示されるメニュー画面を表示する（ステップＳ１３０１）。
【００７３】
次に、制御部３０１は、図１０（ａ）に例示されるメニュー画面上でいずれかのメニュー項目が選択されるまで待機する（ステップＳ１３０２の判定がＮＯの繰返し）。
【００７４】
ステップＳ１３０２の判定がＹＥＳになると、制御部３０１は、店舗ユーザが操作部１０５の表示パネルのメニュー画面（図１０（ａ））上で、「売上金入金」ボタンにタッチしたか否かを判定する（ステップＳ１３０３）。ステップＳ１３０３の判定がＹＥＳになった場合には、制御部３０１は、売上金入金処理を実行する（ステップＳ１３０８）。この処理の詳細については、図１４および図１５のフローチャートを用いて後述する。売上金入金処理が終了すると、制御部３０１は、ステップＳ１３０１のメニュー画面表示処理に戻る。
【００７５】
ステップＳ１３０３の判定がＮＯの場合には、制御部３０１は、店舗ユーザが操作部１０５の表示パネルのメニュー画面（図１０（ａ））上で、「釣銭出金」ボタンにタッチしたか否かを判定する（ステップＳ１３０４）。ステップＳ１３０４の判定がＹＥＳになった場合には、制御部３０１は、釣銭出金処理を実行する（ステップＳ１３０９）。この処理の詳細については、図１６のフローチャートを用いて後述する。釣銭出金処理が終了すると、制御部３０１は、ステップＳ１３０１のメニュー画面表示処理に戻る。
【００７６】
ステップＳ１３０４の判定がＮＯの場合には、制御部３０１は、店舗ユーザが操作部１０５の表示パネルのメニュー画面（図１０（ａ））上で、「両替」ボタンにタッチしたか否かを判定する（ステップＳ１３０５）。ステップＳ１３０５の判定がＹＥＳになった場合には、制御部３０１は、両替処理を実行する（ステップＳ１３１０）。この処理の詳細については、図１７から図１９のフローチャートを用いて後述する。両替処理が終了すると、制御部３０１は、ステップＳ１３０１のメニュー画面表示処理に戻る。
【００７７】
ステップＳ１３０５の判定がＮＯの場合には、制御部３０１は、店舗ユーザが操作部１０５の表示パネルのメニュー画面（図１０（ａ））上で、「売上金銀行入金」ボタンにタッチしたか否かを判定する（ステップＳ１３０６）。ステップＳ１３０６の判定がＹＥＳになった場合には、制御部３０１は、売上金銀行入金処理を実行する（ステップＳ１３１１）。この処理の詳細については、図２０および図２１のフローチャートを用いて後述する。売上金銀行入金処理が終了すると、制御部３０１は、ステップＳ１３０１のメニュー画面表示処理に戻る。
【００７８】
ステップＳ１３０６の判定がＮＯの場合には、制御部３０１は、店舗ユーザが操作部１０５の表示パネルのメニュー画面（図１０（ａ））上で、「カセット取出し」ボタンにタッチしたか否かを判定する（ステップＳ１３０７）。ステップＳ１３０７の判定がＹＥＳになった場合には、制御部３０１は、売上金カセット取出し処理を実行する（ステップＳ１３１２）。この処理の詳細については、図２２のフローチャートを用いて後述する。売上金カセット取出し処理が終了すると、制御部３０１は、ステップＳ１３０１のメニュー画面表示処理に戻る。
【００７９】
ステップＳ１３０７の判定がＮＯの場合には、制御部３０１は、ステップＳ１３０１のメニュー画面表示処理に戻る。なお、メニュー画面上でその他の処理が指定可能な場合には、その他の処理が実行されてもよい。
【００８０】
以上の動作のうち、ステップＳ１３０８、Ｓ１３０９、およびＳ１３１０の各処理は、図１の入出金制御部１０８の機能に対応する。また、ステップＳ１３１１の処理は、図１の現金移動制御部１０９の機能に対応する。
【００８１】
図１４および図１５は、図１３のステップＳ１３０８の売上金入金処理の詳細例を示すフローチャートであり、図５および図６で説明した動作を実現する。
【００８２】
制御部３０１はまず、操作部１０５（図１）の表示パネルに、図１０（ｂ）に例示されるカードスキャン誘導画面を表示させる（ステップＳ１４０１）。
【００８３】
次に、制御部３０１は、認証部３０３（図３）のカードリーダがカードをスキャンするまで待機する（ステップＳ１４０２の判定がＮＯの繰返し）。
【００８４】
カードがスキャンされる（ステップＳ１４０２の判定がＹＥＳになる）と、制御部３０１は、スキャンされたカードが店舗カードであるか否かを判定する（ステップＳ１４０３）。
【００８５】
スキャンされたカードが店舗カードではない場合（ステップＳ１４０３の判定がＮＯの場合）には、制御部３０１は、ステップＳ１４０１のカードスキャン誘導画面の表示に戻って他のカードの挿入を促す。
【００８６】
スキャンされたカードが店舗カードである場合（ステップＳ１４０３の判定がＹＥＳの場合）には、制御部３０１は、紙幣入出金口１０４Ａおよび硬貨入出金口１０４Ｂ（図３）のシャッターをオープンする（ステップＳ１４０４）。
【００８７】
次に、制御部３０１は、操作部１０５の表示パネルに、図１０（ｃ）に例示される入金誘導画面を表示させる（ステップＳ１４０５）。
【００８８】
その後、制御部３０１は、店舗ユーザが紙幣入出金口１０４Ａまたは硬貨入出金口１０４Ｂへの入金を開始するまで待機する（ステップＳ１４０６の判定がＮＯの繰返し）。
【００８９】
店舗ユーザが入金を開始する（ステップＳ１４０６の判定がＹＥＳになる）と、制御部３０１は、操作部１０５の表示パネルに、図１０（ｄ）に例示される現金計数画面を表示させる（ステップＳ１４０７）。これとともに、図５の説明で前述したように、制御部３０１は、入金された紙幣を紙幣入出金口１０４Ａまたは硬貨入出金口１０４Ｂから入金された紙幣または硬貨の判別および計数のための制御動作を実行し、判別・計数が終了した紙幣または硬貨を、店舗ユーザに入金処理の確定または中止を選択させるために、紙幣一時保留部３０２Ａまたは硬貨一時保留部３０２Ｂに保持させる。
【００９０】
制御部３０１は、紙幣計数部１０３−２Ａまたは硬貨計数部１０３−２Ｂ（図３）によって上記計数動作が完了したか否かを判定する（ステップＳ１４０８）。
【００９１】
ステップＳ１４０８の判定がＮＯの間は、制御部３０１は、操作部１０５の表示パネルに新たな現金計数金額画面（図１１（ａ））を表示させる処理（ステップＳ１４０７）と、ステップＳ１４０８の計数終了判定の処理を繰り返し実行する。
【００９２】
ステップＳ１４０８の判定がＹＥＳになると、制御部３０１は、操作部１０５の表示パネルに、図１１（ｂ）に例示される現金計数金額確認画面を表示させる（ステップＳ１４０９）。
【００９３】
その後、制御部３０１は、店舗ユーザが図１１（ｂ）に例示される現金計数金額確認画面の「確定」と「中止」のいずれのボタンにタッチしたかを判定する（図１５のステップＳ１４１０の判定がＮＯ→ステップＳ１４１１の判定がＮＯ→ステップＳ１４１０の判定の繰返し処理）。
【００９４】
店舗ユーザが「確定」ボタンにタッチする（ステップＳ１４１０の判定がＹＥＳになる）と、制御部３０１は、図６の説明で前述したように、紙幣一時保留部３０２Ａまたは硬貨一時保留部３０２Ｂ内の各紙幣または硬貨を、店舗現金収納部１０１（図１）を構成する、店舗紙幣収納部１０１Ａ内の該当する紙幣スタッカ１１１Ａまたは店舗硬貨収納部１０１Ｂ内の該当する硬貨スタッカ１１１Ｂに搬送して収納する（ステップＳ１４１３）。
【００９５】
そして、制御部３０１は、店舗現金収納部１０１の在高、すなわち、紙幣または硬貨が新たに収納された紙幣スタッカ１１１Ａまたは硬貨スタッカ１１１Ｂの在高を、収納が行われた分だけ加算更新する（ステップＳ１４１４）。
【００９６】
その後、制御部３０１は、特には図示しないジャーナルに、取引履歴（売上金の入金の履歴）を記録する（ステップＳ１４１５）。
【００９７】
さらに、制御部３０１は、クラウド通信部１１０（図３）を介して現金管理クラウド１３０（図１、図２参照）に、取引情報（売上金の入金の情報）を送信する（ステップＳ１４１６）。
【００９８】
その後、制御部３０１は、図１４および図１５のフローチャートの処理を終了し、図１３のステップＳ１３０８の売上金入金処理を終了して、ステップＳ１３０１のメニュー画面表示処理に戻る。
【００９９】
図１１（ｂ）に例示される現金計数金額確認画面で店舗ユーザが「中止」ボタンにタッチする（ステップＳ１４１１の判定がＹＥＳになる）と、制御部３０１はまず、紙幣入出金口１０４Ａおよび硬貨入出金口１０４Ｂ（図３）の入出金口シャッターをクローズする（ステップＳ１４１７）。
【０１００】
そして、図５の説明で前述したように、制御部３０１は、紙幣一時保留部３０２Ａまたは硬貨一時保留部３０２Ｂから紙幣入出金口１０４Ａまたは硬貨入出金口１０４Ｂに、入金された現金（紙幣または硬貨）を返却させ（ステップＳ１４１８）、紙幣入出金口１０４Ａまたは硬貨入出金口１０４Ｂのシャッターをオープンする（ステップＳ１４１９）。
【０１０１】
制御部３０１は、店舗ユーザが入出金口から返却された現金を取って返却が完了するまで待機する（ステップＳ１４２０の判定がＮＯの繰返し）。
【０１０２】
ステップＳ１４２０の判定がＹＥＳになると、紙幣入出金口１０４Ａまたは硬貨入出金口１０４Ｂのシャッターをクローズする（ステップＳ１４２１）。
【０１０３】
その後、制御部３０１は、特には図示しないジャーナルに、取引履歴（売上金の入金の返却の履歴）を記録する（ステップＳ１４２２）。
【０１０４】
さらに、制御部３０１は、クラウド通信部１１０（図３）を介して現金管理クラウド１３０（図１、図２参照）に、取引情報（売上金の入金の返却の情報）を送信する（ステップＳ１４２３）。
【０１０５】
その後、制御部３０１は、図１４および図１５のフローチャートの処理を終了し、図１３のステップＳ１３０８の売上金入金処理を終了して、ステップＳ１３０１のメニュー画面表示処理に戻る。
【０１０６】
入金時に受け入れることができない紙幣または硬貨についての処理と、いずれかの紙幣スタッカ１１１Ａまたは硬貨スタッカ１１１Ｂでオーバーフローが発生した場合の処理と、紙幣または硬貨が判別できなかった場合のリジェクトの処理は、図５および図６で前述した通りであり、それらの処理に対応するフローチャートは省略する。
【０１０７】
図１６は、図１３のステップＳ１３０９の釣銭出金処理の詳細例を示すフローチャートであり、図７で説明した動作を実現する。
【０１０８】
制御部３０１はまず、操作部１０５（図１）の表示パネルに、図１０（ｂ）に例示されるカードスキャン誘導画面を表示させる（ステップＳ１６０１）。
【０１０９】
次に、制御部３０１は、認証部３０３（図３）のカードリーダがカードをスキャンするまで待機する（ステップＳ１６０２の判定がＮＯの繰返し）。
【０１１０】
カードがスキャンされる（ステップＳ１６０２の判定がＹＥＳになる）と、制御部３０１は、スキャンされたカードが店舗カードであるか否かを判定する（ステップＳ１６０３）。
【０１１１】
スキャンされたカードが店舗カードではない場合（ステップＳ１６０３の判定がＮＯの場合）には、制御部３０１は、ステップＳ１６０１のカードスキャン誘導画面の表示に戻って他のカードの挿入を促す。
【０１１２】
スキャンされたカードが店舗カードである場合（ステップＳ１６０３の判定がＹＥＳの場合）には、制御部３０１は、操作部１０５の表示パネルに、図１１（ｃ）に例示される出金金種・枚数指定画面を表示させる（ステップＳ１６０４）。
【０１１３】
制御部３０１は、店舗ユーザがこの表示画面上の所望の部分にタッチして釣銭として出金したい紙幣または硬貨の金種と金額を指定する画面入力が終了するまで待機する（ステップＳ１６０５の判定がＮＯの繰返し）。
【０１１４】
ステップＳ１６０５の判定がＹＥＳになると、図７の説明で前述したように、制御部３０１は、該当する紙幣スタッカ１１１Ａまたは硬貨スタッカ１１１Ｂから紙幣または硬貨を取り出して紙幣入出金口１０４Ａまたは硬貨入出金口１０４Ｂ（図３）に搬送してそこから出金させる出金処理を実行する（ステップＳ１６０６）。
【０１１５】
これに引き続いて、制御部３０１は、操作部１０５の表示パネルに、図１１（ｄ）に例示される現金取出し誘導画面を表示させる（ステップＳ１６０７）。
【０１１６】
続いて、制御部３０１は、紙幣入出金口１０４Ａまたは硬貨入出金口１０４Ｂのシャッターをオープンする（ステップＳ１６０８）。
【０１１７】
その後、制御部３０１は、店舗現金収納部１０１の在高、すなわち、紙幣または硬貨が出金された紙幣スタッカ１１１Ａまたは硬貨スタッカ１１１Ｂの在高を、出金が行われた分だけ減算更新する（ステップＳ１６０９）。
【０１１８】
続いて、制御部３０１は、特には図示しないジャーナルに、取引履歴（釣銭出金の履歴）を記録する（ステップＳ１６１０）。
【０１１９】
さらに、制御部３０１は、クラウド通信部１１０（図３）を介して現金管理クラウド１３０（図１、図２参照）に、取引情報（釣銭出金の情報）を送信する（ステップＳ１６１１）。
【０１２０】
その後、制御部３０１は、店舗ユーザが入出金口から釣銭の現金の取出しが終了するまで待機する（ステップＳ１６１２の判定がＮＯの繰返し）。
【０１２１】
ステップＳ１６１２の判定がＹＥＳになると、入出金口のシャッターをクローズする（ステップＳ１６１３）。
【０１２２】
その後、制御部３０１は、図１６のフローチャートの処理を終了し、図１３のステップＳ１３０９の釣銭出金処理を終了して、ステップＳ１３０１のメニュー画面表示処理に戻る。
【０１２３】
出金時に紙幣または硬貨が判別できなかった場合のリジェクトの処理は、図７で前述した通りであり、それらの処理に対応するフローチャートは省略する。
【０１２４】
図１７から図１９は、図１３のステップＳ１３１０の両替処理の例を詳細示すフローチャートである。両替処理は、ある金額の現金を入金してそれと同額の別の金種の現金を出金する処理であるから、図１４および図１５で説明した売上金入金処理と図１６で説明した釣銭出金処理の組合せとして実現できる。そこで、図１７から図１９のフローチャートの説明において、図１４および図１５の場合と同じステップ番号を付した部分は同じ処理を実行するものとする。
【０１２５】
まず、両替金の入金のための図１７および図１８のステップＳ１４０１からＳ１４１４までの一連の処理は、売上金入金のための図１４および図１５のステップＳ１４０１からＳ１４１４までの一連の処理と同じである。これにより、両替金が紙幣入出金口１０４Ａまたは硬貨入出金口１０４Ｂから入金されて、該当する店舗現金収納部１０１（図１）を構成する店舗紙幣収納部１０１Ａ内の該当する紙幣スタッカ１１１Ａまたは店舗硬貨収納部１０１Ｂ内の該当する硬貨スタッカ１１１Ｂ（図６参照）に搬送されて収納され、店舗現金収納部１０１（紙幣スタッカ１１１Ａまたは硬貨スタッカ１１１Ｂ）の在高を、収納が行われた分だけ加算更新される。
【０１２６】
また、中止による両替金の入金の返却ための図１８のステップＳ１４１７からＳ１４２３までの一連の処理は、売上金の入金の返却ための図１５のステップＳ１４１７からＳ１４２３までの一連の処理と同じである。これにより、紙幣入出金口１０４Ａまたは硬貨入出金口１０４Ｂに両替金として入金された現金が返却され、ジャーナルの処理履歴が更新され、現金管理クラウド１３０に処理情報が送信される。
【０１２７】
次に、両替金の出金のための図１９のステップＳ１６０４およびＳ１６０５の処理は、釣銭出金のための図１６の同じステップ番号の処理群と同じである。これにより、店舗ユーザが両替金として出金する金種および金額を指定できる。
【０１２８】
その後、制御部３０１は、先に入金された金額が上記両替指定された出金金額以上であるか否かを判定する（ステップＳ１９０１）。ステップＳ１９０１の判定がＮＯならば、制御部３０１は、ステップＳ１６０４の処理に戻り、店舗ユーザに新たな両替の出金額を指定させる。
【０１２９】
ステップＳ１９０１の判定がＹＥＳとなった後の図１９のステップＳ１６０６からＳ１６０９、Ｓ１６１２、およびＳ１６１３の一連の処理は、釣銭出金のための図１６の同じステップ番号の処理群と同じである。これにより、紙幣入出金口１０４Ａまたは硬貨入出金口１０４Ｂのシャッターがオープンされて、両替のための現金が取り出されるとともに、店舗現金収納部１０１（紙幣スタッカ１１１Ａまたは硬貨スタッカ１１１Ｂ）の在高を、両替出金が行われた分だけ減算更新された後、シャッターがクローズされる。
【０１３０】
その後、制御部３０１は、両替のために入金された金額と両替指定された出金金額との差額、すなわちお釣りがあるか否かを判定する（ステップＳ１９０２）。
【０１３１】
ステップ１９０２の判定がＮＯとなった場合には、制御部３０１は、ステップＳ１９０３の処理に移行する。
【０１３２】
ステップＳ１９０２の判定がＹＥＳとなった後の図１９のステップＳ１６０６からＳ１６０９、Ｓ１６１２、およびＳ１６１３の一連の処理は、釣銭出金のための図１６の同じステップ番号の処理群と同じである。これにより、紙幣入出金口１０４Ａまたは硬貨入出金口１０４Ｂのシャッターが再びオープンされて、釣銭のための現金が取り出されるとともに、店舗現金収納部１０１（紙幣スタッカ１１１Ａまたは硬貨スタッカ１１１Ｂ）の在高が釣銭出金が行われた分だけ減算更新された後、シャッターがクローズされる。
【０１３３】
最後に、制御部３０１は、特には図示しないジャーナルに、取引履歴（両替のための入金と出金および釣銭の出金の履歴）を記録する（ステップＳ１９０３）。
【０１３４】
さらに、制御部３０１は、クラウド通信部１１０（図３）を介して現金管理クラウド１３０（図１、図２参照）に、取引情報（両替のための入金と出金および釣銭の出金の情報）を送信する（ステップＳ１９０４）。
【０１３５】
その後、制御部３０１は、図１７から図１９のフローチャートの処理を終了し、図１３のステップＳ１３１０の両替処理を終了して、ステップＳ１３０１のメニュー画面表示処理に戻る。
【０１３６】
図２０は、図１３のステップＳ１３１１の売上金銀行入金処理の詳細例を示すフローチャートであり、図８で説明した動作を実現する。
【０１３７】
制御部３０１はまず、操作部１０５（図１）の表示パネルに、図１０（ｂ）に例示されるカードスキャン誘導画面を表示させる（ステップＳ２００１）。
【０１３８】
次に、制御部３０１は、認証部３０３（図３）のカードリーダがカードをスキャンするまで待機する（ステップＳ２００２の判定がＮＯの繰返し）。
【０１３９】
カードがスキャンされる（ステップＳ２００２の判定がＹＥＳになる）と、制御部３０１は、スキャンされたカードが銀行カードであるか否かを判定する（ステップＳ２００３）。
【０１４０】
スキャンされたカードが銀行カードではない場合（ステップＳ２００３の判定がＮＯの場合）には、制御部３０１は、ステップＳ２００１のカードスキャン誘導画面の表示に戻って他のカードの挿入を促す。
【０１４１】
スキャンされたカードが原稿カードである場合（ステップＳ２００３の判定がＹＥＳの場合）には、制御部３０１は、操作部１０５の表示パネルに、図１１（ｃ）に例示される出金金種・枚数指定画面を表示させる（ステップＳ２００４）。
【０１４２】
制御部３０１は、店舗ユーザがこの表示画面上の所望の部分にタッチして銀行の口座に入金するために売上金から出金したい紙幣または硬貨の金種と金額を指定する画面入力が終了するまで待機する（ステップＳ２００５の判定がＮＯの繰返し）。
【０１４３】
ステップＳ２００５の判定がＹＥＳになると、制御部３０１は、店舗現金収納部１０１（図１）の在高、すなわち、出金指定された各金種に対応する店舗紙幣収納部１０１Ａ内の各紙幣カセット１１２Ａまたは店舗硬貨収納部１０１Ｂ内の各硬貨カセット１１２Ｂの各在高が、店舗ユーザが指定した出金の各金種の在高以上であるか否かを判定する（ステップＳ２００６）。
【０１４４】
ステップＳ２００６の判定がＮＯならば、制御部３０１は、操作部１０５の表示パネルに、図１２（ｃ）に例示される再入力誘導画面を表示させ（ステップＳ２００８）、その後、ステップＳ２００４の処理に戻って、店舗ユーザに金種と金額を再入力させる。
【０１４５】
ステップＳ２００６の判定がＹＥＳならば、制御部３０１は、ＡＴＭ通信部１０７（図３）を介してＡＴＭ１２０（図１、図２）に、現金移動開始電文を送信し、売上金銀行入金の処理の開始時に読み取った銀行カードに対応する銀行口座への入金が可能か否かを問い合わせる（ステップＳ２００７）。
【０１４６】
その後、制御部３０１は、ＡＴＭ通信部１０７を介してＡＴＭ１２０から電文を受信するまで待機する（ステップＳ２００９の判定がＮＯの繰返し）。
【０１４７】
ステップＳ２００９の判定がＹＥＳになると、制御部３０１は、ＡＴＭ１２０から許可電文が受信したか否かを判定する（ステップＳ２０１０）。
【０１４８】
ＡＴＭ１２０から不許可電文が受信されることによりステップＳ２０１０の判定がＮＯになった場合は、制御部３０１は、操作部１０５の表示パネルに、図１２（ｄ）に例示される異常終了画面を表示させる（ステップＳ２０１８）。
【０１４９】
その後、制御部３０１は、図２０のフローチャートの処理を終了し、図１３のステップＳ１３１１の売上金銀行入金処理を終了して、ステップＳ１３０１のメニュー画面表示処理に戻る。
【０１５０】
ＡＴＭ１２０から許可電文が受信されることによりステップＳ２０１０の判定がＹＥＳになった場合は、制御部３０１は、図８の説明で前述したように、指定された金種に対応する紙幣スタッカ１１１Ａまたは硬貨スタッカ１１１Ｂから紙幣または硬貨を指定された金額分だけ取り出し、銀行紙幣収納部１０２内の＃１または＃２の紙幣カセット１１２Ａまたは銀行硬貨収納部１０２Ｂ内の硬貨カセット１１２Ｂに移動させる（ステップＳ２０１１）。
【０１５１】
その後、制御部３０１は、店舗現金収納部１０１の在高、すなわち、紙幣または硬貨が移動のために出金された紙幣スタッカ１１１Ａまたは硬貨スタッカ１１１Ｂの在高を、出金が行われた分だけ減算更新する（ステップＳ２０１２）。
【０１５２】
一方、制御部３０１は、銀行現金収納部１０２の在高、すなわち、紙幣または硬貨が移動のために収納された銀行紙幣収納部１０２Ａまたは銀行硬貨収納部１０２Ｂの在高を、収納が行われた分だけ加算更新する（ステップＳ２０１３）。
【０１５３】
続いて、制御部３０１は、ＡＴＭ通信部１０７（図３）を介してＡＴＭ１２０に、現金移動完了電文を送信する（ステップＳ２０１４）。この現金移動完了電文には、移動された現金、すなわち銀行口座へ入金される現金の金種および金額が含まれる。
【０１５４】
その後、制御部３０１は、特には図示しないジャーナルに、取引履歴（売上金銀行入金の履歴）を記録する（ステップＳ２０１５）。
【０１５５】
さらに、制御部３０１は、クラウド通信部１１０（図３）を介して現金管理クラウド１３０（図１、図２参照）に、取引情報（売上金銀行入金の情報）を送信する（ステップＳ２０１６）。
【０１５６】
その後、制御部３０１は、操作部１０５の表示パネルに、図１２（ａ）に例示される売上金銀行入金完了画面を表示させ、売上金銀行入金処理を正常終了させる（ステップＳ２０１７）。
【０１５７】
店舗ユーザが上記売上金銀行入金完了画面において「メニューに戻る」ボタンにタッチすると、制御部３０１は、図２０のフローチャートの処理を終了し、図１３のステップＳ１３１１の売上金銀行入金処理を終了して、ステップＳ１３０１のメニュー画面表示処理に戻る。
【０１５８】
図２１は、現金取扱装置１００で実行される売上金銀行入金処理に対応して、図１または図２のＡＴＭ１２０で実行される売上金銀行入金処理の例を示すフローチャートである。この処理は、ＡＴＭ１２０内の特には図示しないマイクロプロセッサが同じく特には図示しないＲＯＭ等に記憶された制御プログラムを特には図示しないＲＡＭ等を作業メモリとして実行する動作である。以下の説明では、ＡＴＭ１２０が処理を実行すると記述した場合には、実際にはこのマイクロプロセッサが処理を実行すると解釈するものとする。
【０１５９】
ＡＴＭ１２０はまず、現金取扱装置１００内の制御部３０１からＡＴＭ通信部１０７（図３）を介して、現金移動開始電文（図２０のステップＳ２００７の説明を参照）を受信するまで待機する（ステップＳ２１０１の判定がＮＯの繰返し）。
【０１６０】
ステップＳ２１０１の判定がＹＥＳになると、ＡＴＭ１２０は、銀行ホスト１４０（図１、図２）と通信を開始し、銀行ホスト１４０に対して入金開始電文を送信する（ステップＳ２１０２）。この入金開始電文には、現金取扱装置１００からの現金移動開始電文によって通知された、現金取扱装置１００での売上金銀行入金の処理の開始時に読み取られた銀行カードに対応する銀行口座の情報（図２０のステップＳ２００７の説明を参照）が含まれる。
【０１６１】
ＡＴＭ１２０は、銀行ホスト１４０から  ステップＳ２１０２の電文送信に対する応答電文を受信する（ステップＳ２１０３）。
【０１６２】
ＡＴＭ１２０は、ステップＳ２１０３で受信した応答電文が、入金許可を示しているか否かを判定する（ステップＳ２１０４）。
【０１６３】
ＡＴＭ１２０は、ステップＳ２１０４の判定がＹＥＳならば現金取扱装置１００に現金の移動を許可する許可電文を送信する（ステップＳ２１０５）。
【０１６４】
その後、ＡＴＭ１２０は、現金取扱装置１００内の制御部３０１からＡＴＭ通信部１０７（図３）を介して、現金移動完了電文（図２０のステップＳ２０１４の説明を参照）を受信するまで待機する（ステップＳ２１０６の判定がＮＯの繰返し）。
【０１６５】
ステップＳ２１０６の判定がＹＥＳになると、ＡＴＭ１２０は、銀行ホスト１４０に、入金電文を送信する（ステップＳ２１０７）。この入金電文には、現金取扱装置１００から通知された現金移動完了電文に含まれる移動された現金、すなわち銀行口座へ入金される現金の金種および金額が含まれる。
【０１６６】
その後、ＡＴＭ１２０は、銀行ホスト１４０から、銀行口座への入金が完了したことを示す入金完了電文を受信する（ステップＳ２１０８）。
【０１６７】
そして、ＡＴＭ１２０は、ＡＴＭ１２０内（自装置内）の現金情報を移動金種および金額の分だけ加算更新し（ステップＳ２１０９）、その後、ステップＳ２１０１の受信待機処理に戻る。
【０１６８】
ＡＴＭ１２０は、銀行からの応答電文が不許可になることによりステップＳ２１０４の判定がＮＯならば、現金取扱装置１００に現金の移動を許可しない不許可電文を送信し（ステップＳ２１１０）（図２０のステップＳ２０１０→Ｓ２０１８の説明を参照）、その後、ステップＳ２１０１の受信待機処理に戻る。
【０１６９】
図２２は、図１３のステップＳ１３１２の売上金カセット取出し処理の詳細例を示すフローチャートであり、図８で説明した動作を実現する。
【０１７０】
制御部３０１はまず、操作部１０５（図１）の表示パネルに、図１０（ｂ）に例示されるカードスキャン誘導画面を表示させる（ステップＳ２２０１）。
【０１７１】
次に、制御部３０１は、認証部３０３（図３）のカードリーダがカードをスキャンするまで待機する（ステップＳ２２０２の判定がＮＯの繰返し）。
【０１７２】
カードがスキャンされる（ステップＳ２２０２の判定がＹＥＳになる）と、制御部３０１は、スキャンされたカードが銀行カードであるか否かを判定する（ステップＳ２２０３）。
【０１７３】
スキャンされたカードが銀行カードではない場合（ステップＳ２２０３の判定がＮＯの場合）には、制御部３０１は、ステップＳ２２０１のカードスキャン誘導画面の表示に戻って他のカードの挿入を促す。
【０１７４】
スキャンされたカードが銀行カードである場合（ステップＳ２２０３の判定がＹＥＳの場合）には、制御部３０１は、操作部１０５の表示パネルに、図１１（ｃ）に例示される出金金種・枚数指定画面を表示させる（ステップＳ２２０４）。
【０１７５】
制御部３０１は、店舗ユーザがこの表示画面上の所望の部分にタッチしてカセット１１２Ａまたは１１２Ｂに移動するために売上金から出金したい紙幣または硬貨の金種と金額を指定する画面入力が終了するまで待機する（ステップＳ２２０５の判定がＮＯの繰返し）。
【０１７６】
ステップＳ２２０５の判定がＹＥＳになると、制御部３０１は、店舗現金収納部１０１（図１）の在高、すなわち、出金指定された各金種に対応する店舗紙幣収納部１０１Ａ内の各紙幣カセット１１２Ａまたは店舗硬貨収納部１０１Ｂ内の各硬貨カセット１１２Ｂの各在高が、店舗ユーザが指定した出金の各金種の在高以上であるか否かを判定する（ステップＳ２２０６）。
【０１７７】
ステップＳ２２０６の判定がＮＯならば、制御部３０１は、操作部１０５の表示パネルに、図１２（ｃ）に例示される再入力誘導画面を表示させ（ステップＳ２２０８）、その後、ステップＳ２２０４の処理に戻って、店舗ユーザに金種と金額を再入力させる。
【０１７８】
ステップＳ２２０６の判定がＹＥＳならば、制御部３０１は、図８の説明で前述したように、指定された金種に対応する紙幣スタッカ１１１Ａまたは硬貨スタッカ１１１Ｂから紙幣または硬貨を指定された金額分だけ取り出し、銀行紙幣収納部１０２内の＃１または＃２の紙幣カセット１１２Ａまたは銀行硬貨収納部１０２Ｂ内の硬貨カセット１１２Ｂに移動させる（ステップＳ２２０８）。
【０１７９】
その後、制御部３０１は、店舗現金収納部１０１の在高、すなわち、紙幣または硬貨が移動のために出金された紙幣スタッカ１１１Ａまたは硬貨スタッカ１１１Ｂの在高を、出金が行われた分だけ減算更新する（ステップＳ２２０９）。
【０１８０】
一方、制御部３０１は、銀行現金収納部１０２の在高、すなわち、紙幣または硬貨が移動のために収納された銀行紙幣収納部１０２Ａまたは銀行硬貨収納部１０２Ｂの在高を、収納が行われた分だけ加算更新する（ステップＳ２２１０）。
【０１８１】
続いて、制御部３０１は、特には図示しないジャーナルに、取引履歴（売上金銀行入金の履歴）を記録する（ステップＳ２２１１）。
【０１８２】
さらに、制御部３０１は、クラウド通信部１１０（図３）を介して現金管理クラウド１３０（図１、図２参照）に、取引情報（売上金銀行入金の情報）を送信する（ステップＳ２２１２）。
【０１８３】
その後、制御部３０１は、操作部１０５の表示パネルに、図１２（ｂ）に例示される売上金カセット取出し完了画面を表示させ、売上金カセット取出し処理を正常終了させる（ステップＳ２２１３）。
【０１８４】
店舗ユーザが上記売上金カセット取出し完了画面において「メニューに戻る」ボタンにタッチすると、制御部３０１は、図２２のフローチャートの処理を終了し、図１３のステップＳ１３１２の売上金カセット取出し処理を終了して、ステップＳ１３０１のメニュー画面表示処理に戻る。
【０１８５】
図２３は、現金管理クラウド１３０（図１、図２）における現金取扱装置データ取得処理の例を示すフローチャートである。この処理は、現金管理クラウド１３０内の特には図示しないマイクロプロセッサが同じく特には図示しないＲＯＭ等に記憶された制御プログラムを特には図示しないＲＡＭ等を作業メモリとして実行する動作である。以下の説明では、現金管理クラウド１３０が処理を実行すると記述した場合には、実際にはこのマイクロプロセッサが処理を実行すると解釈するものとする。
【０１８６】
まず、現金管理クラウド１３０は、現金取扱装置１００内の制御部３０１からクラウド通信部１１０（図３）を介してデータを受信するまで待機する（ステップＳ２３０１の判定がＮＯの繰返し）。前述した売上金入金処理における図１４のステップＳ１４１６またはＳ１４２３、釣銭出金処理における図１６のステップＳ１６１１、両替処理における図１８のステップＳ１４２３または図１９のステップＳ１９０４、売上金銀行入金処理における図２０のステップＳ２０１６、あるいは売上金カセット取出し処理における図２２のステップＳ２２１２のいずれかの処理が実行されることにより、現金取扱装置１００内の制御部３０１からクラウド通信部１１０を介して取引情報が送信されると、ステップＳ２３０１の判定がＹＥＳとなる。
【０１８７】
この結果、現金管理クラウド１３０は、取引の「日時」「法人名」「店舗名」「操作者/（承認者）」「取引種別」「取引結果」「取引金額／金種」「店舗現金収納部１０１（店舗紙幣収納部１０１Ａ内の各紙幣カセット１１２Ａ、店舗硬貨収納部１０１Ｂ内の各硬貨カセット１１２Ｂ）の現金在高」「銀行現金収納部１０２（銀行紙幣収納部１０２Ａ内の各紙幣カセット１１２Ａ、銀行硬貨収納部１０２Ｂ内の硬貨カセット１１２Ｂ）の現金在高」「エラー詳細情報（エラーの場合）」等の情報を、現金取扱装置１００の番号ごと（店舗ごと）に、現金管理クラウド１３０内の特には図示しないディスク記憶装置等に記憶されているデータベース（ＤＢ）に記録する（ステップＳ２３０２）。
【０１８８】
そして、現金管理クラウド１３０は、現金取扱装置１００内のクラウド通信部１１０を介して制御部３０１（図３）に、受信完了電文を送信する（ステップＳ２３０３）。
その後、現金管理クラウド１３０は、ステップＳ２３０１の受信待機処理に戻る。
【０１８９】
図２４は、現金管理クラウド１３０における情報照会応答処理の例を示すフローチャートである。この処理は、図２３の場合と同様に、現金管理クラウド１３０内の特には図示しないマイクロプロセッサが制御プログラムを実行する動作である。本実施形態では、各店舗の現金取扱装置１００で扱われる売上金および銀行入金は、現金管理クラウド１３０で一括して管理され、この管理内容は、例えばインターネット等のネットワークを介して接続される情報照会端末２０１（図２）から照会することができる。図２４のフローチャートで例示される処理は、情報照会端末２０１から情報照会があった場合に現金管理クラウド１３０が応答する処理の例である。
【０１９０】
現金管理クラウド１３０はまず、情報照会端末２０１から情報照会要求を受信するまで待機する（ステップＳ２４０１の判定がＮＯの繰返し）。
【０１９１】
ステップＳ２４０１の判定がＹＥＳになると、現金管理クラウド１３０は、要求のあった情報照会が、現金取扱装置１００の個別情報に対する照会であるか否かを判定する（ステップＳ２４０２）。
【０１９２】
ステップＳ２４０２の判定がＹＥＳの場合には、現金管理クラウド１３０は、現金取扱装置１００の番号ごと（店舗ごと）に、「銀行現金収納部１０２への入金額と妥当性」「店舗現金収納部１０１の現金在高と妥当性」「店舗現金量の妥当性」「異常取引の抽出」「操作者権限の妥当性」等の情報を、現金管理クラウド１３０内の特には図示しないディスク記憶装置等に記憶されているデータベース（ＤＢ）（図２３のステップＳ２３０２の説明を参照）から抽出して、情報照会要求を送信した情報照会端末２０１に応答して表示する（ステップＳ２４０３）。その後、現金管理クラウド１３０は、ステップＳ２４０１の受信待機処理に戻る。
【０１９３】
ステップＳ２４０２の判定がＮＯならば、現金管理クラウド１３０は、要求のあった情報照会が、現金取扱装置１００の全体情報に対する照会であるか否かを判定する（ステップＳ２４０４）。
【０１９４】
ステップＳ２４０３の判定がＹＥＳの場合には、現金管理クラウド１３０は、店舗を運営する法人ごとに全店舗の現金取扱装置１００分について、「銀行現金収納部１０２への入金額と妥当性」「店舗現金収納部１０１の現金在高と妥当性」「店舗現金量の妥当性」「異常取引の抽出」「操作者権限の妥当性」等の情報を、現金管理クラウド１３０内のＤＢから抽出して、情報照会要求を送信した情報照会端末２０１に応答して表示する（ステップＳ２４０５）。その後、現金管理クラウド１３０は、ステップＳ２４０１の受信待機処理に戻る。
【０１９５】
ステップＳ２４０４の判定がＮＯならば、現金管理クラウド１３０は、要求のあった情報照会が、現金取扱装置１００のサポート情報に対する照会であるか否かを判定する（ステップＳ２４０６）。
【０１９６】
ステップＳ２４０６の判定がＹＥＳの場合には、現金管理クラウド１３０は、現金取扱装置１００の番号ごと（店舗ごと）に、ステップＳ２４０３と同様の情報に「取引履歴の表示」と「エラー履歴の表示」を加えた情報を、現金管理クラウド１３０内のＤＢから抽出して、情報照会要求を送信した情報照会端末２０１に応答して表示する（ステップＳ２４０７）。
【０１９７】
次に、現金管理クラウド１３０は、店舗を運営する法人ごとに全店舗の現金取扱装置１００分について、ステップＳ２４０５と同じ情報を、現金管理クラウド１３０内のＤＢから抽出して、情報照会要求を送信した情報照会端末２０１に応答して表示する（ステップＳ２４０８）。その後、現金管理クラウド１３０は、ステップＳ２４０１の受信待機処理に戻る。
【０１９８】
ステップＳ２４０６の判定がＮＯならば、現金管理クラウド１３０は、ステップＳ２４０１の受信待機処理に戻る。
【０１９９】
以上説明した実施形態では、現金取扱装置１００において、ＡＴＭ１２０と通信をすることにより、売上金から銀行口座入金への移替えが容易に行えるようになる。店舗内にＰＯＳレジスタが多数あるような場合であっても、各ＰＯＳレジスタの釣銭機の売上金の現金を現金取扱装置１００に入金させることにより、従来通り現金取扱装置１００でまとめて売上金、釣銭出金、両替等の管理が行えるほか、まとめて銀行口座への入金処理と売上資金から銀行資金への移動を行うことが可能となる。これにより、店舗の規模によらず、釣銭等の現金の管理が容易に行え、銀行口座への入金および売上金額の確定を迅速かつ安全に行うことが可能となる。
【０２００】
また、売上金銀行入金処理は、ＡＴＭ１２０を介さずに、現金取扱装置１００と銀行ホスト１４０において、行うことも可能である。
【０２０１】
さらに、売上金銀行入金処理は、現金管理クラウド１３０にアクセス可能な情報照会端末２０１（図２参照）から、現金取扱装置１００を指定して、リモートで行うことも可能である。
【符号の説明】
【０２０２】
１００  現金取扱装置
１０１  店舗現金収納部
１０１Ａ  店舗紙幣収納部
１０１Ｂ  店舗硬貨収納部
１０２  銀行現金収納部
１０２Ａ  銀行紙幣収納部
１０２Ｂ  銀行硬貨収納部
１０３  判別・計数部
１０３Ａ  紙幣判別・計数部
１０３−１Ａ  紙幣判別部
１０３−２Ａ  紙幣計数部
１０３Ｂ  硬貨判別・計数部
１０３−１Ｂ  硬貨判別部
１０３−２Ｂ  硬貨計数部
１０４  入出金口
１０４Ａ  紙幣入出金口
１０４Ｂ  硬貨入出金口
１０５  操作部
１０６  搬送機構
１０７  ＡＴＭ通信部
１０８  入出金制御部
１０９  現金移動制御部
１１０  クラウド通信部
１１１  スタッカ
１１２  カセット
１２０  ＡＴＭ（現金自動預払機）
１３０  現金管理クラウド
１４０  銀行ホスト
２０１  情報照会端末
３０１  制御部
３０２Ａ  紙幣一時保留部
３０２Ｂ  硬貨一時保留部
３０３  認証部
３０４Ａ  紙幣リジェクト部
３０４Ｂ  硬貨リジェクト部
【図１】
0006671966.tif 000002
【図２】
0006671966.tif 000003
【図３】
0006671966.tif 000004
【図４】
0006671966.tif 000005
【図５】
0006671966.tif 000006
【図６】
0006671966.tif 000007
【図７】
0006671966.tif 000008
【図８】
0006671966.tif 000009
【図９】
0006671966.tif 000010
【図１０】
0006671966.tif 000011
【図１１】
0006671966.tif 000012
【図１２】
0006671966.tif 000013
【図１３】
0006671966.tif 000014
【図１４】
0006671966.tif 000015
【図１５】
0006671966.tif 000016
【図１６】
0006671966.tif 000017
【図１７】
0006671966.tif 000018
【図１８】
0006671966.tif 000019
【図１９】
0006671966.tif 000020
【図２０】
0006671966.tif 000021
【図２１】
0006671966.tif 000022
【図２２】
0006671966.tif 000023
【図２３】
0006671966.tif 000024
【図２４】
0006671966.tif 000025